【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
モジュール提供装置がネットワークを介してユーザ端末装置に提供する、商品情報、購入画面、購入確認画面、および購入完了画面が画面遷移なしで切り替わるモジュールによって商品販売を行う商品販売システムであって、
前記モジュール提供装置は、
商品購入に係る要求の認証用の認証キーを含みウェブページ内においてコンテンツと結合される前記モジュールを生成する生成手段と、
前記生成手段によって生成された前記認証キーを含む前記モジュールを前記ユーザ端末装置へ提供する提供手段と、
前記提供手段によって前記認証キーを含む前記モジュールが提供されたユーザ端末装置から送信される商品購入に係る要求に対して、この要求に含まれる認証キーを用いて認証を行う認証手段と、
前記認証手段によって要求が認証された場合、前記ユーザ端末装置におけるウェブページ内の認証キーを含む前記モジュール部分の表示の切り替えを指示する表示制御手段と
を有することを特徴とする商品販売システム。
【請求項２】
前記生成手段は、
前記ユーザ端末装置に対して割り当てられた識別情報を用いて認証キーを生成する認証キー生成手段を含み、
前記認証キー生成手段によって生成された認証キーを含むモジュールを生成することを特徴とする請求項１記載の商品販売システム。
【請求項３】
前記認証キー生成手段は、
販売対象の商品の識別情報をさらに用いて認証キーを生成することを特徴とする請求項２記載の商品販売システム。
【請求項４】
前記認証キー生成手段は、
前記認証手段によって所定の要求が認証された場合に、モジュール生成時とは異なる認証キーを新たに生成し、
前記表示制御手段は、
表示の切り替えを指示すると同時に、前記認証キー生成手段によって新たに生成された認証キーを前記ユーザ端末装置へ送信することを特徴とする請求項２記載の商品販売システム。
【請求項５】
前記認証キー生成手段は、
前記認証手段によって所定の要求が認証された場合に、モジュール生成時よりも有効期限が短い認証キーを新たに生成することを特徴とする請求項４記載の商品販売システム。
【請求項６】
前記認証手段は、
前記認証キー生成手段によって新たに生成された認証キーによって前記ユーザ端末装置からの要求が認証された場合に、商品の決済処理を行う決済処理手段を含むことを特徴とする請求項４記載の商品販売システム。
【請求項７】
前記認証手段は、
商品購入に係る要求に含まれる識別情報から認証キーを生成し、生成された認証キーが商品購入に係る要求に含まれる認証キーに一致するか否かを判定することにより要求の認証を行うことを特徴とする請求項１記載の商品販売システム。
【請求項８】
前記表示制御手段は、
前記認証手段によって購入画面の表示の要求が認証された場合、モジュール部分に商品の購入処理実行の有無を問い合わせる購入画面を表示させることを特徴とする請求項１記載の商品販売システム。
【請求項９】
前記表示制御手段は、
前記認証手段によって購入処理実行の要求が認証された場合、モジュール部分に商品の決済処理実行の有無を問い合わせる購入確認画面を表示させることを特徴とする請求項１記載の商品販売システム。
【請求項１０】
前記表示制御手段は、
前記認証手段によって決済処理実行の要求が認証され、かつ決済処理が実行された場合、モジュール部分に商品の購入が完了した旨の購入完了画面を表示させることを特徴とする請求項１記載の商品販売システム。
【請求項１１】
ウェブページ内のコンテンツを提供するサーバ装置をさらに備え、
前記提供手段は、
前記サーバ装置へモジュールを送信し、
前記サーバ装置は、
前記提供手段によって送信されたモジュールとコンテンツを結合し、得られたウェブページを前記ユーザ端末装置へ配信することを特徴とする請求項１記載の商品販売システム。
【請求項１２】
ネットワークを介してユーザ端末装置へ、商品情報、購入画面、購入確認画面、および購入完了画面が画面遷移なしで切り替わるモジュールを提供するモジュール提供装置であって、
商品購入に係る要求の認証用の認証キーを含みウェブページ内においてコンテンツと結合される前記モジュールを生成する生成手段と、
前記生成手段によって生成された前記認証キーを含む前記モジュールを前記ユーザ端末装置へ提供する提供手段と、
前記提供手段によって前記認証キーを含む前記モジュールが提供されたユーザ端末装置から送信される商品購入に係る要求に対して、この要求に含まれる認証キーを用いて認証を行う認証手段と、
前記認証手段によって要求が認証された場合、前記ユーザ端末装置におけるウェブページ内の認証キーを含む前記モジュール部分の表示の切り替えを指示する表示制御手段と
を有することを特徴とするモジュール提供装置。
【請求項１３】
モジュール提供装置がネットワークを介してユーザ端末装置に提供する、商品情報、購入画面、購入確認画面、および購入完了画面が画面遷移なしで切り替わるモジュールによって商品販売を行う商品販売方法であって、
前記モジュール提供装置が、
商品購入に係る要求の認証用の認証キーを含みウェブページ内においてコンテンツと結合される前記モジュールを生成する生成工程と、
前記生成工程にて生成された前記認証キーを含む前記モジュールを前記ユーザ端末装置へ提供する提供工程と、
前記提供工程にて前記認証キーを含む前記モジュールが提供されたユーザ端末装置から送信される商品購入に係る要求に対して、この要求に含まれる認証キーを用いて認証を行う認証工程と、
前記認証工程にて要求が認証された場合、前記ユーザ端末装置におけるウェブページ内の認証キーを含む前記モジュール部分の表示の切り替えを指示する表示制御工程と
を有することを特徴とする商品販売方法。
【手続補正２】
【補正対象書類名】明細書
【補正対象項目名】００１０
【補正方法】変更
【補正の内容】
【００１０】
上記課題を解決するために、本発明は、モジュール提供装置がネットワークを介してユーザ端末装置に提供する、商品情報、購入画面、購入確認画面、および購入完了画面が画面遷移なしで切り替わるモジュールによって商品販売を行う商品販売システムであって、前記モジュール提供装置は、商品購入に係る要求の認証用の認証キーを含みウェブページ内においてコンテンツと結合される前記モジュールを生成する生成手段と、前記生成手段によって生成された前記認証キーを含む前記モジュールを前記ユーザ端末装置へ提供する提供手段と、前記提供手段によって前記認証キーを含む前記モジュールが提供されたユーザ端末装置から送信される商品購入に係る要求に対して、この要求に含まれる認証キーを用いて認証を行う認証手段と、前記認証手段によって要求が認証された場合、前記ユーザ端末装置におけるウェブページ内の認証キーを含む前記モジュール部分の表示の切り替えを指示する表示制御手段とを有することを特徴とする。
【手続補正３】
【補正対象書類名】明細書
【補正対象項目名】００２１
【補正方法】変更
【補正の内容】
【００２１】
また、本発明は、ネットワークを介してユーザ端末装置へ商品販売用のモジュールを提供する、商品情報、購入画面、購入確認画面、および購入完了画面が画面遷移なしで切り替わるモジュール提供装置であって、商品購入に係る要求の認証用の認証キーを含みウェブページ内においてコンテンツと結合される前記モジュールを生成する生成手段と、前記生成手段によって生成された前記認証キーを含む前記モジュールを前記ユーザ端末装置へ提供する提供手段と、前記提供手段によって前記認証キーを含む前記モジュールが提供されたユーザ端末装置から送信される商品購入に係る要求に対して、この要求に含まれる認証キーを用いて認証を行う認証手段と、前記認証手段によって要求が認証された場合、前記ユーザ端末装置におけるウェブページ内の認証キーを含む前記モジュール部分の表示の切り替えを指示する表示制御手段とを有することを特徴とする。
【手続補正４】
【補正対象書類名】明細書
【補正対象項目名】００２２
【補正方法】変更
【補正の内容】
【００２２】
また、本発明は、モジュール提供装置がネットワークを介してユーザ端末装置に提供する、商品情報、購入画面、購入確認画面、および購入完了画面が画面遷移なしで切り替わるモジュールによって商品販売を行う商品販売方法であって、前記モジュール提供装置が、商品購入に係る要求の認証用の認証キーを含みウェブページ内においてコンテンツと結合される前記モジュールを生成する生成工程と、前記生成工程にて生成された前記認証キーを含む前記モジュールを前記ユーザ端末装置へ提供する提供工程と、前記提供工程にて前記認証キーを含む前記モジュールが提供されたユーザ端末装置から送信される商品購入に係る要求に対して、この要求に含まれる認証キーを用いて認証を行う認証工程と、前記認証工程にて要求が認証された場合、前記ユーザ端末装置におけるウェブページ内の認証キーを含む前記モジュール部分の表示の切り替えを指示する表示制御工程とを有することを特徴とする。